(57)【要約】【課題】雨天時などで有機物濃度が低下した場合でも、生物学的に安定して下水からリンを除去することができる下水処理場リン除去装置を提供する。【解決手段】下水処理場リン除去装置は嫌気槽１０と、酸素槽１１と、好気槽１１とを備えている。有機物供給槽２１がポンプ１９を介して嫌気槽１０に接続されている。UV計２５により下水中の有機物濃度が求められる。コントローラ１０１によりUV計２５からの信号に基づいて、有機物濃度が低くなったときポンプ１９を作動させて、嫌気槽１０内に有機物を補充する。【選択図】図１
2007000859.tif 000002
【特許請求の範囲】
【請求項１】
最初沈殿池と、
最初沈殿池の下流側に接続された嫌気槽と、
嫌気槽の下流側に接続された好気槽と、
嫌気槽に有機物を供給する有機物供給手段とを備え、
嫌気槽に流入する流入水中の有機物濃度を計測するセンサを設け、
センサからの信号に基づいて、コントローラにより有機物供給手段を制御することを特徴とする下水処理場リン除去装置。
【請求項２】
有機物供給手段は、有機物供給槽と、有機物供給槽と嫌気槽との間に設けられ、有機物供給槽からの有機物を嫌気槽へ供給するポンプとを有し、
コントローラはセンサからの信号に基づいて、有機物濃度が基準値より小さい場合にポンプを運転し、有機物濃度が基準値より大きい場合にポンプを停止するようポンプの制御を行なうことを特徴とする請求項１記載の下水処理場リン除去装置。
【請求項３】
有機物供給手段は、最初沈殿池の上流側と下流側とを接続するバイパス配管と、
バイパス配管に取付けられた開閉弁とを有し、
コントローラはセンサからの信号に基づいて、有機物濃度が基準値より小さい場合に開閉弁を開とし、有機物濃度が基準値より大きい場合に開閉弁を閉とするよう開閉弁の制御を行なうことを特徴とする請求項１記載の下水処理場のリン除去装置。
【請求項４】
最初沈殿池と、
最初沈殿池の下流側に接続された嫌気槽と、
嫌気槽の下流側に接続された好気槽と、
嫌気槽に有機物を供給する有機物供給手段とを備え、
嫌気槽に流入する流入水中の有機物濃度を計測するセンサを設け、嫌気槽内のＯＲＰを計測するＯＲＰ計測器を設け、
センサおよびＯＲＰ計測器からの信号に基づいて、コントローラにより有機物供給手段を制御することを特徴とする下水処理場リン除去装置。
【請求項５】
有機物供給手段は、有機物供給槽と、有機物供給槽と嫌気槽との間に設けられ、有機物供給槽からの有機物を嫌気槽へ供給するポンプとを有し、
コントローラはセンサとＯＲＰ計測器からの信号に基づいて、有機物濃度が基準値より小さいか、もしくはＯＲＰが基準値より大きい場合のいずれか一方の場合にポンプを運転し、それ以外の場合にポンプを停止することを特徴とする請求項４記載の下水処理場リン除去装置。
【請求項６】
有機物供給手段は、最初沈殿池の上流側と下流側とを接続するバイパス配管と、バイパス配管に取付けられた開閉弁とを有し、
コントローラはセンサとＯＲＰ計測器からの信号に基づいて、有機物濃度が基準値より小さいか、もしくはＯＲＰが基準値より大きい場合のいずれか一方の場合に開閉弁を開とし、それ以外の場合に開閉弁を閉とすることを特徴とする請求項４記載の下水処理場リン除去装置。
【請求項７】
最初沈殿池と、
最初沈殿池の下流側に接続された嫌気槽と、
嫌気槽の下流側に接続された好気槽と、
嫌気槽に有機物を供給する有機物供給手段とを備え、
嫌気槽に流入する流入水中の有機物濃度および流入流量を計測するセンサを設け、
センサからの信号に基づいて、コントローラにより有機物供給手段を制御することを特徴とする下水処理場リン除去装置。
【請求項８】
有機物供給手段は、有機物供給槽と、有機物供給槽と嫌気槽との間に設けられ、有機物供給槽からの有機物を嫌気槽へ供給するポンプとを有し、
コントローラはセンサからの信号に基づいて、有機物濃度と基準値との偏差および流入流量から必要となるポンプ流量を求めてポンプを制御することを特徴とする請求項７記載の下水処理場リン除去装置。
【請求項９】
有機物供給手段は、最初沈殿池の上流側と下流側とを接続するバイパス配管と、バイパス配管に取付けられた開閉弁とを有し、
コントローラはセンサからの信号に基づいて、有機物濃度と基準値との偏差および流入流量から必要となるバイパス流量を求めて開閉弁を制御することを特徴とする請求項７記載の下水処理場リン除去装置。
【請求項１０】
最初沈殿池と嫌気槽との間に配管もしくは混合槽を設け、
嫌気槽に流入する流入水中の有機物濃度を計測するセンサは配管または混合槽に設けられていることを特徴とする請求項１記載の下水処理場リン除去装置。
【請求項１１】
有機物供給手段は、最初沈殿池の上流側と下流側とを接続するバイパス配管と、バイパス配管に取付けられた開閉弁とを有し、
コントローラはセンサからの信号に基づいて、有機物濃度が基準値より小さい場合に開閉弁を開とし、有機物濃度が基準値より大きい場合に開閉弁を閉とするよう開閉弁の制御を行なうことを特徴とする請求項１０記載の下水処理場リン除去装置。
【請求項１２】
センサは配管に設けられ、バイパス配管の下流側の接続位置はセンサの前段に位置することを特徴とする請求項１１記載の下水処理場リン除去装置。
【請求項１３】
好気槽にリン酸計を設け、
コントローラはリン酸計からの信号を考慮して、ポンプの制御を行なうことを特徴とする請求項２、５または８のいずれかに記載の下水処理場リン除去装置。
【請求項１４】
好気槽にリン酸計を設け、
コントローラはリン酸計からの信号を考慮して、
開閉弁の制御を行なうことを特徴とする請求項３、６、９、１１または１２のいずれかに記載の下水処理場リン除去装置。
【請求項１５】
最初沈殿池と、
最初沈殿池の下流側に接続された嫌気槽と、
嫌気槽の下流側に接続された好気槽と、
嫌気槽に有機物を供給する有機物供給手段とを備え、
嫌気槽に流入する流入水中の有機物濃度および流入流量を計測するセンサを設け、
センサからの信号に基づいて、有機物濃度と基準値の偏差および流入流量から不足している有機物量を演算する不足有機物演算部を有するコントローラにより、有機物供給手段を制御することを特徴とする下水処理場リン除去装置。
【請求項１６】
有機物供給手段は、有機物供給槽と、有機物供給槽と嫌気槽との間に設けられ、有機物供給槽からの有機物を嫌気槽へ供給するポンプとを有し、
コントローラは不足有機物量に基づいて、ポンプを制御することを特徴とする請求項１５記載の下水処理場リン除去装置。
【請求項１７】
有機物供給手段は、最初沈殿池の上流側と下流側とを接続するバイパス配管と、バイパス配管に取付けられた開閉弁とを有し、
コントローラは不足有機物量に基づいて開閉弁を制御することを特徴とする請求項１５記載の下水処理場リン除去装置。
【請求項１８】
最初沈殿池と、
最初沈殿池の下流側に接続された嫌気槽と、
嫌気槽の下流側に接続された好気槽と、
嫌気槽に有機物を供給する有機物供給手段とを備え、
過去の情報に基づいて、下水の流入量、有機物濃度、リン濃度を予測する流入予測部を設け、
この流入水予測部からの予測結果に基づいて、不足している有機物量を演算する不足有機物演算部を有するコントローラにより有機物供給手段を制御することを特徴とする下水処理場リン除去装置。
【請求項１９】
有機物供給手段は、有機物供給槽と、有機物供給槽と嫌気槽との間に設けられ、有機物供給槽からの有機物を嫌気槽へ供給するポンプとを有し、
コントローラは不足有機物量に基づいてポンプを制御することを特徴とする請求項１８記載の下水処理場リン除去装置。
【請求項２０】
有機物供給手段は、最初沈殿池の上流側と下流側とを接続するバイパス配管と、バイパス配管に取付けられた開閉弁とを有し、
コントローラは不足有機物量に基づいて開閉弁を制御することを特徴とする請求項１８記載の下水処理場リン除去装置。
【請求項２１】
好気槽に凝集剤注入ポンプを有する凝集剤注入設備が接続され、
コントローラは凝集剤注入ポンプを制御することを特徴とする請求項１、４、７、１５または１８のいずれか記載の下水処理場リン除去装置。
【請求項２２】
最初沈殿池と、
最初沈殿池の下流側に接続された嫌気槽と、
嫌気槽の下流側に接続された好気槽と、
嫌気槽に有機物を供給する有機物供給手段とを備え、
最終沈殿池内の固形物を嫌気槽へ返送する返送ポンプを設け、
嫌気槽に流入する流入水中の流入リン濃度および流入流量を計測するセンサを設け、
嫌気槽から流出する流出リン濃度を測定する流出リン濃度計を設け、
返送ポンプにより返送される返送流量を測定する返送流量計を設け、
センサ、流出リン濃度計および返送流量計からの信号に基づいてコントローラにより有機物供給手段を制御することを特徴とする下水処理場リン除去装置。
【請求項２３】
有機物供給手段は、有機物供給槽と、有機物供給槽と嫌気槽との間に設けられ、有機物供給槽からの有機物を嫌気槽へ供給する有機物供給ポンプとを有することを特徴とする請求項２２記載の下水処理場リン除去装置。
【請求項２４】
コントローラはセンサ、流出リン濃度計および返送流量計からの信号に基づいて、嫌気槽へ流入する流入リン濃度と流入流量との積から流入リン量を求め、嫌気槽へ流入する流入流量と返送流量の和に嫌気槽からの流出リン濃度を乗じて流出リン量を求め、この流出リン量と流入リン量との差からリン吐出し量を求め、リン吐出し量が所定値以下の場合に有機物供給ポンプを作動させることを特徴とする請求項２３記載の下水処理場リン除去装置。
【請求項２５】
コントローラにより求めたリン吐出し量を複数日分記憶する計測値記憶部が設けられ、
計測値記憶部からのリン吐出し量の平均値が制御目標設定部に伝送され、
コントローラはこの制御目標設定部で設定された目標値を基準として有機物供給ポンプを作動させることを特徴とする請求項２３または２４のいずれか記載の下水処理場リン除去装置。
【請求項２６】
好気槽内の固形物濃度を測定する第１固形物濃度計を設け、
返送ポンプにより返送される固形物濃度を測定する第２固形物濃度計を設けるとともに、嫌気槽から流出する追加流出リン濃度を測定する追加流出リン濃度計を設け、
コントローラはセンサ、流出リン濃度計、返送流量計からの信号に加えて、追加流出リン濃度計、第１固形物濃度計、および第２固形物濃度計からの信号に基づいて、嫌気槽から流出する流出リン濃度と好気槽から流出する追加流出リン濃度の差を好気槽内の固形物濃度で割って、固形物中に含まれるリン濃度を求め、返送ポンプにより返送される固形物濃度と固形物中に含まれるリン濃度と返送流量とによって嫌気槽へ返送されるリン量を求め、
嫌気槽へ流入する流入リン濃度と流入流量との積から流入リン量を求め、嫌気槽へ流入する流入流量と返送流量の和に嫌気槽からの流出リン濃度を乗じて流出リン量を求め、この流出リン量と流入リン量との差からリン吐出し量を求め、
リン吐出し量を嫌気槽に返送されたリン量で割った値が所定値以下の場合に有機物供給ポンプを作動させることを特徴とする請求項２３記載の下水処理場リン除去装置。
【請求項２７】
最初沈殿地に引抜ポンプを介して汚泥を引き抜く汚泥配管が接続され、この汚泥配管に有機物供給槽が連結され、
この有機物供給槽は汚泥の発酵機能を有する可溶化槽からなることを特徴とする請求項２、５、８、１６、１９、２３のいずれか記載の下水処理場リン除去装置。
【請求項２８】
最初沈殿地に引抜ポンプを介して汚泥を引き抜く汚泥配管が接続され、この汚泥配管に有機物供給槽が連結され、
この有機物供給槽はオゾン注入部を有する可溶化槽からなることを特徴とする請求項２、５、８、１６、１９、２３のいずれか記載の下水処理場リン除去装置。
【請求項２９】
最終沈殿地に余剰ポンプを介して余剰汚泥を引き抜く余剰汚泥配管が接続され、この余剰汚泥配管に有機物供給槽が連結され、
この有機物供給槽は汚泥の発酵機能を有する可溶化槽からなることを特徴とする請求項２、５、８、１６、１９、２３のいずれか記載の下水処理場リン除去装置。
【請求項３０】
最終沈殿地に余剰ポンプを介して余剰汚泥を引き抜く余剰汚泥配管が接続され、この余剰汚泥配管に有機物供給槽が連結され、
この有機物供給槽はオゾン注入部を有する可溶化槽からなることを特徴とする請求項２、５、８、１６、１９、２３のいずれか記載の下水処理場リン除去装置。
【発明の詳細な説明】
【技術分野】
【０００１】
本発明は下水処理場リン除去装置に係り、とりわけリンを効果的に除去することができる下水処理場リン除去装置に関する。
【背景技術】
【０００２】
従来の下水処理場では、活性汚泥法と呼ばれるプロセスにより有機物除去を主におこなっていたが、近年、湖沼、湾などの閉鎖性水域で富栄養化が進行してきていることから、有機物除去のみならず富栄養化の原因物質である窒素、リン除去も行う下水高度処理の要求が増大してきている。
【０００３】
有機物・窒素・りんの同時除去を行うプロセスの代表プロセスとして、嫌気−無酸素−好気プロセス（Ａ２Ｏプロセス）を含む下水処理場が参照されている（例えば特許文献１および２参照）。
【０００４】
以下、簡単にこのプロセスにおける窒素・リン除去のメカニズムを示す。
【０００５】
窒素除去は次のようにして行われる。まず下水が嫌気槽、無酸素槽および好気槽を経て順次処理される。
【０００６】
この間、好気槽において、曝気装置により供給される酸素を利用して、硝化菌がアンモニア性窒素（ＮＨ４−Ｎ）を亜硫酸性窒素（ＮＯ２−Ｎ）および硝酸性窒素（ＮＯ３−Ｎ）に酸化する。
【０００７】
好気槽内の水は循環ポンプにより無酸素槽に送り込まれる。無酸素槽内に送られた亜硝酸性窒素（ＮＯ２−Ｎ）および硝酸性窒素（ＮＯ３−Ｎ）は、無酸素条件下で流入下水中の有機物を栄養源とする脱窒細菌による硝酸性呼吸あるいは亜硝酸性呼吸により、窒素ガス（Ｎ２）へと還元され、系外に除去される。
【０００８】
窒素除去反応を化学式で表現すると、好気槽内で行われる硝化反応は、以下のとおりである。
ＮＨ４＋＋２Ｏ２→ＮＯ２−＋２Ｈ２Ｏ
ＮＯ２−＋１／２Ｏ２→ＮＯ３−
【０００９】
無酸素槽内で行われる脱窒反応として、有機物としてメタノールが使われた場合の反応を記すと、
６ＮＯ３−＋５ＣＨ３ＯＨ→３Ｎ２＋５ＣＯ２＋７Ｈ２Ｏ＋６ＯＨ−
となる。
【００１０】
リン除去は次のような機構で行われる。
【００１１】
まず嫌気槽内で、活性汚泥中のリン蓄積細菌が、酢酸などの有機酸を体内に蓄積し、リン酸（ＰＯ４）に放出する。この過剰放出したリン酸態のリンについては、無酸素槽の後段に配置された好気槽においてリン蓄積細菌のリン過剰摂取作用を利用して、嫌気槽で放出された以上のリン酸態のリンを活性汚泥に吸収させることによりリン除去が行われる。
【００１２】
すなわち、この反応を進行させるためには、嫌気槽内において、酢酸などの有機酸が必要となる。雨水流入時には有機酸濃度が薄くなり、リン蓄積菌が利用できる有機物が減少することから、十分なリンの吐き出し反応が十分に行われなくなる。このため後に続くリンの過剰摂取反応も不十分となる場合があり、生物学的リン除去のみでは目標となる水質を得られない場合がある。
【００１３】
このように雨水流入時に有機物濃度が薄くなった場合の有機物の補填手段としては、嫌気槽に有機物を投入する方法、および最初沈殿池をバイパスし有機物濃度の高い下水を直接嫌気槽に流入させる方法、最初沈殿池の汚泥を投入する方法、最初沈殿池の汚泥を発酵させたりオゾンにて溶解し投入する方法などがある。
【００１４】
また、生物学的りん除去以外に化学的にりんを除去する方法もある。この方法はポリ塩化アルミニウム、硫酸アルミニウム、硫酸鉄などの凝集剤を貯える凝集剤貯留槽を設け、これら凝集剤を注入してリン酸アルミニウムやリン酸鉄の形でリン成分を以下の式で沈殿させることによりリンを除去する方法である。
Ａｌ３＋＋３ＰＯ４−→Ａｌ（ＰＯ４）３
【００１５】
りん除去を促進するにはこのように凝集剤を注入する方法もあるが、凝集剤の使用はコストがかかり、またアルミ系の凝集剤はアルツハイマー病の原因物質となることからできるだけ生物学的にりんを取るほうが望ましい。
【特許文献１】特開２００１−８７７９３
【特許文献２】特開平１１−２９０８８８
【発明の開示】
【発明が解決しようとする課題】
【００１６】
上述のように従来の下水処理場では、
（１）雨天などの影響により、有機物濃度が低下する際にリン蓄積細菌が利用する有機物量が少なくなり、リン除去が悪化する問題がある。
（２）また凝集剤を使うことによりリン除去を促進させることができるが、コストがかかり、凝集剤中の成分が環境に影響を及ぼす可能性もある。
【００１７】
本発明はこのような点を考慮してなされたものであり、下水処理場において、雨天時などの有機物濃度低下時にも生物学的作用により、安定してりんを除去することができる下水処理場リン除去装置を提供することを目的とする。
【課題を解決するための手段】
【００１８】
本発明は、最初沈殿池と、最初沈殿池の下流側に接続された嫌気槽と、嫌気槽の下流側に接続された好気槽と、嫌気槽に有機物を供給する有機物供給手段とを備え、嫌気槽に流入する流入水中の有機物濃度を計測するセンサを設け、センサからの信号に基づいて、コントローラにより有機物供給手段を制御することを特徴とする下水処理場リン除去装置である。
【００１９】
本発明は、有機物供給手段は、有機物供給槽と、有機物供給槽と嫌気槽との間に設けられ、有機物供給槽からの有機物を嫌気槽へ供給するポンプとを有し、コントローラはセンサからの信号に基づいて、有機物濃度が基準値より小さい場合にポンプを運転し、有機物濃度が基準値より大きい場合にポンプを停止するようポンプの制御を行なうことを特徴とする下水処理場リン除去装置である。
【００２０】
本発明は、有機物供給手段は、最初沈殿池の上流側と下流側とを接続するバイパス配管と、バイパス配管に取付けられた開閉弁とを有し、コントローラはセンサからの信号に基づいて、有機物濃度が基準値より小さい場合に開閉弁を開とし、有機物濃度が基準値より大きい場合に開閉弁を閉とするよう開閉弁の制御を行なうことを特徴とする下水処理場のリン除去装置である。
【００２１】
本発明は、最初沈殿池と、最初沈殿池の下流側に接続された嫌気槽と、嫌気槽の下流側に接続された好気槽と、嫌気槽に有機物を供給する有機物供給手段とを備え、嫌気槽に流入する流入水中の有機物濃度を計測するセンサを設け、嫌気槽内のＯＲＰを計測するＯＲＰ計測器を設け、センサおよびＯＲＰ計測器からの信号に基づいて、コントローラにより有機物供給手段を制御することを特徴とする下水処理場リン除去装置である。
【００２２】
本発明は、有機物供給手段は、有機物供給槽と、有機物供給槽と嫌気槽との間に設けられ、有機物供給槽からの有機物を嫌気槽へ供給するポンプとを有し、コントローラはセンサとＯＲＰ計測器からの信号に基づいて、有機物濃度が基準値より小さいか、もしくはＯＲＰが基準値より大きい場合のいずれか一方の場合にポンプを運転し、それ以外の場合にポンプを停止することを特徴とする下水処理場リン除去装置である。
【００２３】
本発明は、有機物供給手段は、最初沈殿池の上流側と下流側とを接続するバイパス配管と、バイパス配管に取付けられた開閉弁とを有し、コントローラはセンサとＯＲＰ計測器からの信号に基づいて、有機物濃度が基準値より小さいか、もしくはＯＲＰが基準値より大きい場合のいずれか一方の場合に開閉弁を開とし、それ以外の場合に開閉弁を閉とすることを特徴とする下水処理場リン除去装置である。
【００２４】
本発明は、最初沈殿池と、最初沈殿池の下流側に接続された嫌気槽と、嫌気槽の下流側に接続された好気槽と、嫌気槽に有機物を供給する有機物供給手段とを備え、嫌気槽に流入する流入水中の有機物濃度および流入流量を計測するセンサを設け、センサからの信号に基づいて、コントローラにより有機物供給手段を制御することを特徴とする下水処理場リン除去装置である。
【００２５】
本発明は、有機物供給手段は、有機物供給槽と、有機物供給槽と嫌気槽との間に設けられ、有機物供給槽からの有機物を嫌気槽へ供給するポンプとを有し、コントローラはセンサからの信号に基づいて、有機物濃度と基準値との偏差および流入流量から必要となるポンプ流量を求めてポンプを制御することを特徴とする下水処理場リン除去装置である。
【００２６】
本発明は、有機物供給手段は、最初沈殿池の上流側と下流側とを接続するバイパス配管と、バイパス配管に取付けられた開閉弁とを有し、コントローラはセンサからの信号に基づいて、有機物濃度と基準値との偏差および流入流量から必要となるバイパス流量を求めて開閉弁を制御することを特徴とする下水処理場リン除去装置である。
【００２７】
本発明は、最初沈殿池と嫌気槽との間に配管もしくは混合槽を設け、嫌気槽に流入する流入水中の有機物濃度を計測するセンサは配管または混合槽に設けられていることを特徴とする下水処理場リン除去装置である。
【００２８】
本発明は、有機物供給手段は、最初沈殿池の上流側と下流側とを接続するバイパス配管と、バイパス配管に取付けられた開閉弁とを有し、コントローラはセンサからの信号に基づいて、有機物濃度が基準値より小さい場合に開閉弁を開とし、有機物濃度が基準値より大きい場合に開閉弁を閉とするよう開閉弁の制御を行なうことを特徴とする下水処理場リン除去装置である。
【００２９】
本発明は、センサは配管に設けられ、バイパス配管の下流側の接続位置はセンサの前段に位置することを特徴とする下水処理場リン除去装置である。
【００３０】
本発明は、好気槽にリン酸計を設け、コントローラはリン酸計からの信号を考慮して、ポンプの制御を行なうことを特徴とする下水処理場リン除去装置である。
【００３１】
本発明は、好気槽にリン酸計を設け、コントローラはリン酸計からの信号を考慮して、開閉弁の制御を行なうことを特徴とする下水処理場リン除去装置である。
【００３２】
本発明は、最初沈殿池と、最初沈殿池の下流側に接続された嫌気槽と、嫌気槽の下流側に接続された好気槽と、嫌気槽に有機物を供給する有機物供給手段とを備え、嫌気槽に流入する流入水中の有機物濃度および流入流量を計測するセンサを設け、センサからの信号に基づいて、有機物濃度と基準値の偏差および流入流量から不足している有機物量を演算する不足有機物演算部を有するコントローラにより有機物供給手段を制御することを特徴とする下水処理場リン除去装置である。
【００３３】
本発明は、有機物供給手段は、有機物供給槽と、有機物供給槽と嫌気槽との間に設けられ、有機物供給槽からの有機物を嫌気槽へ供給するポンプとを有し、コントローラは不足有機物量に基づいて、ポンプを制御することを特徴とする下水処理場リン除去装置である。
【００３４】
本発明は、有機物供給手段は、最初沈殿池の上流側と下流側とを接続するバイパス配管と、バイパス配管に取付けられた開閉弁とを有し、コントローラは不足有機物量に基づいて開閉弁を制御することを特徴とする下水処理場リン除去装置である。
【００３５】
本発明は、最初沈殿池と、最初沈殿池の下流側に接続された嫌気槽と、嫌気槽の下流側に接続された好気槽と、嫌気槽に有機物を供給する有機物供給手段とを備え、過去の情報に基づいて、下水の流入量、有機物濃度、リン濃度を予測する流入予測部を設け、この流入水予測部からの予測結果に基づいて、不足している有機物量を演算する不足有機物演算部を有するコントローラにより有機物供給手段を制御することを特徴とする下水処理場リン除去装置である。
【００３６】
本発明は、有機物供給手段は、有機物供給槽と、有機物供給槽と嫌気槽との間に設けられ、有機物供給槽からの有機物を嫌気槽へ供給するポンプとを有し、コントローラは不足有機物量に基づいてポンプを制御することを特徴とする下水処理場リン除去装置である。
【００３７】
本発明は、有機物供給手段は、最初沈殿池の上流側と下流側とを接続するバイパス配管と、バイパス配管に取付けられた開閉弁とを有し、コントローラは不足有機物量に基づいて開閉弁を制御することを特徴とする下水処理場リン除去装置である。
【００３８】
本発明は、好気槽に凝集剤注入ポンプを有する凝集剤注入設備が接続され、コントローラは凝集剤注入ポンプを制御することを特徴とする下水処理場リン除去装置である。
【００３９】
本発明は、最初沈殿池と、最初沈殿池の下流側に接続された嫌気槽と、嫌気槽の下流側に接続された好気槽と、嫌気槽に有機物を供給する有機物供給手段とを備え、最終沈殿池内の固形物を嫌気槽へ返送する返送ポンプを設け、嫌気槽に流入する流入水中の流入リン濃度および流入流量を計測するセンサを設け、嫌気槽から流出する流出リン濃度を測定する流出リン濃度計を設け、返送ポンプにより返送される返送流量を測定する返送流量計を設け、センサ、流出リン濃度計および返送流量計からの信号に基づいてコントローラにより有機物供給手段を制御することを特徴とする下水処理場リン除去装置である。
【００４０】
本発明は、有機物供給手段は、有機物供給槽と、有機物供給槽と嫌気槽との間に設けられ、有機物供給槽からの有機物を嫌気槽へ供給する有機物供給ポンプとを有することを特徴とする下水処理場リン除去装置である。
【００４１】
本発明は、コントローラはセンサ、流出リン濃度計および返送流量計からの信号に基づいて、嫌気槽へ流入する流入リン濃度と流入流量との積から流入リン量を求め、嫌気槽へ流入する流入流量と返送流量の和に嫌気槽からの流出リン濃度を乗じて流出リン量を求め、この流出リン量と流入リン量との差からリン吐出し量を求め、リン吐出し量が所定値以下の場合に有機物供給ポンプを作動させることを特徴とする下水処理場リン除去装置である。
【００４２】
本発明は、コントローラにより求めたリン吐出し量を複数日分記憶する計測値記憶部が設けられ、計測値記憶部からのリン吐出し量の平均値が制御目標設定部に伝送され、コントローラはこの制御目標設定部で設定された目標値を基準として有機物供給ポンプを作動させることを特徴とする下水処理場リン除去装置である。
【００４３】
本発明は、好気槽内の固形物濃度を測定する第１固形物濃度計を設け、返送ポンプにより返送される固形物濃度を測定する第２固形物濃度計を設けるとともに、嫌気槽から流出する追加流出リン濃度を測定する追加流出リン濃度計を設け、コントローラはセンサ、流出リン濃度計、返送流量計からの信号に加えて、追加流出リン濃度計、第１固形物濃度計、および第２固形物濃度計からの信号に基づいて、嫌気槽から流出する流出リン濃度と好気槽から流出する追加流出リン濃度の差を好気槽内の固形物濃度で割って、固形物中に含まれるリン濃度を求め、返送ポンプにより返送される固形物濃度と固形物中に含まれるリン濃度と返送流量とによって嫌気槽へ返送されるリン量を求め、嫌気槽へ流入する流入リン濃度と流入流量との積から流入リン量を求め、嫌気槽へ流入する流入流量と返送流量の和に嫌気槽からの流出リン濃度を乗じて流出リン量を求め、この流出リン量と流入リン量との差からリン吐出し量を求め、リン吐出し量を嫌気槽に返送されたリン量で割った値が所定値以下の場合に有機物供給ポンプを作動させることを特徴とする下水処理場リン除去装置である。
【００４４】
本発明は、最初沈殿地に引抜ポンプを介して汚泥を引き抜く汚泥配管が接続され、この汚泥配管に有機物供給槽が連結され、この有機物供給槽は汚泥の発酵機能を有する可溶化槽からなることを特徴とする下水処理場リン除去装置である。
【００４５】
本発明は、最初沈殿地に引抜ポンプを介して汚泥を引き抜く汚泥配管が接続され、この汚泥配管に有機物供給槽が連結され、この有機物供給槽はオゾン注入部を有する可溶化槽からなることを特徴とする下水処理場リン除去装置である。
【００４６】
本発明は、最終沈殿地に余剰ポンプを介して余剰汚泥を引き抜く余剰汚泥配管が接続され、この余剰汚泥配管に有機物供給槽が連結され、この有機物供給槽は汚泥の発酵機能を有する可溶化槽からなることを特徴とする下水処理場リン除去装置である。
【００４７】
本発明は、最終沈殿地に余剰ポンプを介して余剰汚泥を引き抜く余剰汚泥配管が接続され、この余剰汚泥配管に有機物供給槽が連結され、この有機物供給槽はオゾン注入部を有する可溶化槽からなることを特徴とする下水処理場リン除去装置である。
【発明の効果】
【００４８】
以上のように本発明によれば、雨天時などで有機物濃度が低下した場合でも、生物学的に安定して下水からリンを除去することができる。
【発明を実施するための最良の形態】
【００４９】
第１の実施の形態
以下、図面を参照して本発明の実施の形態について説明する。図１は本発明による下水処理場リン除去装置の第１の実施の形態を示す図である。
【００５０】
図１に示すように、下水処理場リン除去装置は、最初沈殿池２と、最初沈殿池２の下流側に接続された嫌気槽１０と、嫌気槽１０の下流側に接続された無酸素槽１１と、無酸素槽１１の下流側に接続された好気槽１２と、好気槽１２の下流側に接続された最終沈殿池１３とを備えている。
【００５１】
また嫌気槽１０には、ポンプ１９を介して炭素源貯留槽（有機物供給層）２１が接続され、さらに好気槽１２と無酸素槽１１との間には循環ポンプ１４が設けられた循環配管５３が接続されている。さらに最終沈殿池１３と嫌気槽１０との間には、最終沈殿池１３内の固形物（汚泥）を嫌気槽１０へ戻す返送ポンプ１５が取付けられた返送配管５４が接続されている。
【００５２】
また好気槽１２には、曝気装置９から酸素が送られるようになっている。
【００５３】
さらに最初沈殿池２の上流側の配管５０と嫌気槽１０との間には、最初沈殿池２をバイパスするバイパス配管５９が設けられ、このバイパス配管５９には電磁弁からなるバイパス弁（開閉弁ともいう）２３が取付けられている。
【００５４】
なお、ポンプ１９と炭素源貯留槽２１とによって有機物供給手段が構成されるが、この有機物供給手段をバイパス配管５９とバイパス弁２３とによって構成してもよい。
【００５５】
また最初沈殿池２と嫌気槽１０との間の配管５１には、嫌気槽１０内へ流入する有機物濃度を測定するＵＶ計２５が設けられている。さらに最初沈殿池２および最終沈殿池１３には、固形物（汚泥）を引抜く汚泥配管５８，５５が各々接続され、汚泥配管５８，５５には引抜ポンプ１８と余剰ポンプ１７が各々設けられている。
【００５６】
なお、ポンプ１９と炭素源貯留槽２１とによって有機物供給手段が構成されるが、この有機物供給手段をバイパス配管５９とバイパス弁２３とによって構成してもよい。
【００５７】
そして汚泥配管５８，５５は、各々汚泥貯留槽２０に接続されている。
【００５８】
また、好気槽１２には、凝集剤貯留槽２２が凝集剤注入ポンプ１６を介して接続されている。
【００５９】
またＵＶ計２５からの信号はコントローラ１０１に送られ、このコントローラ１０１により流入有機物濃度基準値１００を用いて、ポンプ１９を制御して、嫌気槽１０内に炭素源貯留槽２１から炭素源を供給するようになっている。
【００６０】
次にこのような構成からなる本実施の形態の作用について説明する。
【００６１】
まず下水１は配管５０を通って最初沈殿池２へ流入し、最初沈殿池２からの水澄み水が嫌気槽１０、無酸素槽１１および好気槽１２に送られて順次処理され、その後最終沈殿池を通って配管６０から処理水３として放出される。
【００６２】
この間のプロセスにおける窒素・リン除去のメカニズムを以下説明する。
【００６３】
窒素除去は次のようにして行われる。
【００６４】
好気槽１２において、曝気装置９により供給される酸素を利用して、硫化菌がアンモニア性窒素（ＮＨ４−Ｎ）を亜硝酸性窒素（ＮＯ２−Ｎ）および硝酸性窒素（ＮＯ３−Ｎ）に酸化する。
【００６５】
好気槽１２から循環ポンプ１４により無酸素槽１１に送り込まれた亜硝酸性窒素（ＮＯ２−Ｎ）および硝酸性窒素（ＮＯ３−Ｎ）は、無酸素条件下で流入下水中の有機物を栄養源とする脱窒細菌による硝酸性呼吸あるいは亜硝酸性呼吸により、窒素ガス（Ｎ２）へと還元され、系外に除去される。
【００６６】
窒素除去反応を化学式で表現すると、
硝化反応は、
ＮＨ４＋＋２Ｏ２→ＮＯ２−＋２Ｈ２Ｏ
ＮＯ２−＋１／２Ｏ２→ＮＯ３−  により行われる。
【００６７】
脱窒反応として、有機物としてメタノールが使われた場合の反応を記すと、
６ＮＯ３−＋５ＣＨ３ＯＨ→３Ｎ２＋５ＣＯ２＋７Ｈ２Ｏ＋６ＯＨ−  となる。
【００６８】
他方、リン除去は次のような機構で行われる。
【００６９】
無酸素槽１１の前段に配置された嫌気槽１０において、活性汚泥中のリン蓄積細菌は、酢酸などの有機酸を体内に蓄積し、リン酸（ＰＯ４）を放出する。この過剰放出したリン酸態のリンについては、無酸素槽１１の後段に配置された好気槽１２において、リン蓄積細菌のリン過剰摂取作用を利用して、嫌気槽１０で放出された以上のリン酸態のリンを活性汚泥中に吸収させることによりリン除去を行う。
【００７０】
この反応を進行させるためには、嫌気槽１０内において、酢酸などの有機酸が必要となる。雨水流入時には有機酸濃度が薄くなり、リン蓄積菌が利用できる有機物が減少することから、十分なリンの吐き出し反応が十分に行われなくなるため、後に続くリンの過剰摂取反応も不十分となることがあり、生物学的リン除去のみでは目標となる水質を得られない場合がある。このように雨水流入時に有機物濃度が薄くなった場合は、以下のような作用により嫌気槽１０内に有機物を供給する。
【００７１】
まず嫌気槽１０内へ流入する有機物濃度をＵＶ計２５の計測値と有機物濃度の代表指標であるＣＯＤ（化学的酸素要求量）は一般に相関があることが知られており、その関係は（１）式のように示される。
ＣＯＤ＝ａ・ＵＶ＋ｂ      （１）式
ＣＯＤ：ＣＯＤ濃度、ＵＶ：ＵＶ計の計測値、ａ、ｂ：相関係数
【００７２】
そこで、ＵＶ計２５の計測値から（１）式により演算された有機物濃度が、設定された有機物濃度基準値より低い場合に、コントローラ１０１はポンプ１９を運転して嫌気槽１０に炭素源貯留槽２１から炭素源を供給する。他方、有機物濃度が高い場合はポンプ１９を停止する。
【００７３】
有機物濃度の設定値の目安としては、流入水のリン濃度に対して、約２０倍程度の有機物濃度があれば、安定したリン除去が行える。
【００７４】
本実施の形態によれば、ＢＯＤ計、ＣＯＤ計、有機酸計に比べてオンライン性の高いＵＶ計２５を使用することにより、時間遅れなく有機物を嫌気槽１０内に投入することができる。
【００７５】
なお、ＵＶ計２５の設置位置は嫌気槽１０の上流側であれば、最初沈殿池の内部などいずれの位置でも良い。
【００７６】
プロセスは図１に示すＡ２Ｏプロセスに限らず、ＡＯプロセス（嫌気−好気プロセス）、ステップ流入式嫌気好気プロセスなど、嫌気槽、好気槽を有するプロセスであれば、どのようなプロセスであってもよい。
【００７７】
第２の実施の形態
次に図２により本発明の第２の実施の形態について説明する。
【００７８】
図２において、図１に示す第１の実施の形態と同一部分には同一符号を付して詳細な説明は省略する。
【００７９】
図２に示す下水処理場リン除去装置は嫌気槽１０と、無酸素槽１１と、好気槽１２とからなるＡ２Ｏプロセスを含む。
【００８０】
最初沈殿池２の後段の配管５１に有機物濃度計としてＵＶ計２５が設置され、最初沈殿池２をバイパスするバイパス配管５９に電磁弁からなるパイパス弁（開閉弁）２３が設置されている。
【００８１】
図２において、ＵＶ計２５の計測値と有機物濃度の代表指標であるＣＯＤ（化学的酸素要求量）は一般に相関があることが知られており、その関係は前記の（１）式のように示される。
【００８２】
コントローラ１０２は、ＵＶ計２５の計測値から（１）式により演算された有機物濃度が、設定された有機物濃度基準値より低い場合に、最初沈殿池２をバイパスするバイパス弁２３を開き、有機物濃度が有機物濃度基準値より高い場合はバイパス弁２３を閉とする。
【００８３】
有機物濃度の設定値の目安としては、流入水のリン濃度に対して、約２０倍程度の有機物濃度があれば、安定したリン除去が行える。
【００８４】
本実施の形態によれば、ＢＯＤ計、ＣＯＤ計、有機酸計に比べてオンライン性の高いＵＶ計２５を使用することにより、時間遅れなく制御が可能である。また、嫌気槽１０に有機物として、有機物濃度が高い最初沈殿池前の下水を供給することができ、炭素源を貯留する施設の必要がなく、また、炭素源の薬品費もいらない。
【００８５】
なお、ＵＶ計２５の設置位置は嫌気槽１０の上流側であれば、最初沈殿池２の内部などいずれの位置でも良い。
【００８６】
また、プロセスはＡ２Ｏプロセスに限らず、ＡＯプロセス（嫌気−好気プロセス）、ステップ流入式嫌気好気プロセスなど、嫌気槽、好気槽を有するプロセスであれば、どのようなプロセスを用いてもよい。
【００８７】
第３の実施の形態
次に図３により本発明の第２の実施の形態について説明する。
【００８８】
図３において、図１に示す第１の実施の形態と同一部分には同一符号を付して詳細な説明は省略する。
【００８９】
図３に示す下水処理場リン除去装置は嫌気槽１０と、無酸素槽１１と、好気槽１２とからなるＡ２Ｏプロセスを含む。
【００９０】
最初沈殿池２の後段の配管５１に有機物濃度計としてＵＶ計２５が設置され、嫌気槽１０内にＯＲＰ計２７が設置されている。
【００９１】
図３において、ＵＶ計２５の計測値と有機物濃度の代表指標であるＣＯＤ（化学的酸素要求量）は一般に相関があることが知られており、その関係は（１）式のように示される。
ＣＯＤ＝ａ・ＵＶ＋ｂ      （１）式
ＣＯＤ：ＣＯＤ濃度、ＵＶ：ＵＶ計計測値、ａ、ｂ：相関係数
【００９２】
ＯＲＰ計（酸化還元電位計）２７は嫌気槽１０の嫌気度を示す指標を示す。嫌気槽１０のＯＲＰが高い場合（−２５０ｍＶ以上）では、リンの吐出が十分行われないため、リン除去が悪化する場合がある。
【００９３】
コントローラ１０１ａは、ＵＶ計２５の計測値から（１）式により演算された有機物濃度が、設定された有機物濃度基準値１００より低い場合に、ポンプ１９を運転して嫌気槽１０に炭素源を供給し、高い場合にポンプ１９を停止する。
【００９４】
また、コントローラ１０１ａは、ＵＶ計２５から計算される有機物濃度が、設定された有機物濃度基準値１００より高い場合でも、嫌気槽１０のＯＲＰが高い場合はポンプ１９を運転して炭素源を嫌気槽１０内に投入し、ＯＲＰが低い場合はポンプ１９を停止する。
【００９５】
本実施の形態によれば、ＢＯＤ計、ＣＯＤ計、有機酸計に比べてオンライン性の高いＵＶ計２５を使用することにより、時間遅れなく有機物の投入が可能である。またＯＲＰが高い場合にも有機物を投入することにより、嫌気槽１０の嫌気度を低く保つことができるため、より安定的にリン除去を行うことが可能となる。
【００９６】
なお、ＵＶ計２５の設置位置は嫌気槽１０の上流側であれば、最初沈殿池２の内部などいずれの位置でも良い。
【００９７】
また、プロセスはＡ２０プロセスに限らず、Ａ０プロセス（嫌気−好気プロセス）、ステップ流入式嫌気好気プロセスなど、嫌気槽、好気槽を有するプロセスであれば、どのようなプロセスを用いてもよい。
【００９８】
第４の実施の形態
次に図４により本発明の第４の実施の形態について説明する。
【００９９】
図４において、図１に示す第１の実施の形態と同一部分には同一符号を付して詳細な説明は省略する。
【０１００】
図４に示す下水処理場リン除去装置は、嫌気槽１０と、無酸素槽１１と、好気槽１２とからなるＡ２０プロセスを含む。
【０１０１】
最初沈殿池２の後段の配管５１に有機物濃度計としてＵＶ計２５が設置され、嫌気槽１０にＯＲＰ計２７が設置されている。
【０１０２】
また最初沈殿池２をバイパスするバイパス配管５９にバイパス弁（電磁弁）２３が設置されている。
【０１０３】
図４において、ＵＶ計２５の計測値と有機物濃度の代表指標であるＣＯＤ（化学的酸素要求量）は一般に相関があることが知られており、その関係は前記の（１）式のように示されている。
【０１０４】
コントローラ１０２はＵＶ計２５の計測値から（１）式により演算された有機物濃度が、設定された有機物濃度基準値１００より低い場合に、最初沈殿池２をバイパスするバイパス配管５９のバイパス弁２３を開き、高い場合はバイパス弁２３を閉とする。
【０１０５】
有機物濃度の設定値の目安としては、流入水のリン濃度に対して、約２０倍程度の有機物濃度があれば、安定したリン除去が行える。
【０１０６】
また、ＵＶ計２５から計算される有機物濃度が設定された有機物濃度基準値１００より高い場合でも、コントローラ１０２は嫌気槽１０のＯＲＰが高い場合は最初沈殿池２をバイパスするバイパス配管５９のバイパス弁２３を開とし、低い場合は閉とする。
【０１０７】
本実施の形態によれば、ＢＯＤ計、ＣＯＤ計、有機酸計に比べてオンライン性の高いＵＶ計２５を使用することにより、時間遅れなく制御が可能である。また、嫌気槽１０に有機物として、有機物濃度の高い最初沈殿池前の下水を供給することができ、炭素源を貯留する施設の必要がなく、また、炭素源の薬品費もいらない。
【０１０８】
またＯＲＰが高い場合にも有機物を投入することにより、嫌気槽の嫌気度を低く保つことができるため、安定的にリン除去を行うことが可能となる。
【０１０９】
なお、ＵＶ計２５の設置位置は嫌気槽１０の上流側であれば、最初沈殿池２の内部などいずれの位置でも良い。
【０１１０】
また、プロセスはＡ２０プロセスに限らず、Ａ０プロセス（嫌気−好気プロセス）、ステップ流入式嫌気好気プロセスなど、嫌気槽、好気槽を有するプロセスであれば、どのようなプロセスを用いてもよい。
【０１１１】
第５の実施の形態
次に図５により本発明の第５の実施の形態について説明する。
【０１１２】
図５において、図１に示す第１の実施の形態と同一部分には同一符号を付して詳細な説明は省略する。
【０１１３】
図５に示す下水処理場リン除去装置は、嫌気槽１０と、無酸素槽１１と、好気槽１２とからなるＡ２０プロセスを含む。
【０１１４】
最初沈殿池２の後段の配管５１に有機物濃度計としてＵＶ計２５及び流量計２５ａが設置されている。炭素源注入ポンプ１９はインバータの回転数を制御することにより、流量を調整できる。
【０１１５】
図５において、ＵＶ計２５の計測値と有機物濃度の代表指標であるＣＯＤ（化学的酸素要求量）は一般に相関があることが知られており、その関係は前記の（１）式のように示される。
【０１１６】
コントローラ１０３により、（１）式により導出された有機物濃度と、設定された有機物濃度基準値１００と、流量計２５ａの計測値より、設定された有機物濃度基準値を保つのに必要な炭素源の流量が（２）式により求められる。
Ｑｃａｒ（ｔ）＝（Ｃｓｖ−Ｃｉｎ（ｔ））／（Ｃｃａｒｂｏｎ−Ｃｓｖ）＊Ｑｉｎ（ｔ）          （２）式
ただし、Ｑｃａｒ（ｔ）＜＝０のときはＱｃａｒ（ｔ）＝０
Ｑｃａｒ（ｔ）：炭素源の流量演算値（ｍ３／ｈ）、Ｃｓｖ：有機物濃度基準値（ｍｇ／Ｌ）、Ｃｉｎ（ｔ）：流入有機物濃度（ＵＶ計計測値から換算）（ｍｇ／Ｌ）、Ｃｃａｒｂｏｎ：炭素源濃度（ｍｇ／Ｌ）、Ｑｉｎ（ｔ）：流入流量
【０１１７】
コントローラ１０３は（２）式にて求められる流量となるよう炭素源注入ポンプの回転数を制御する。
【０１１８】
本実施の形態によれば、ＢＯＤ計、ＣＯＤ計、有機酸計に比べてオンライン性の高いＵＶ計２５を使用することにより、時間遅れなく制御が可能である。
【０１１９】
また有機物濃度基準値となるための炭素源の必要量を演算するため、不必要な有機物投入がなくなり、有機物投入量の削減により運転コストの削減ができる。また、必要な場合はより多くの有機物を投入することから、流入有機物濃度の安定化が可能となり、より安定的にリン除去を行うことが可能となる。
【０１２０】
なお、ＵＶ計２５の設置位置は嫌気槽１０の上流側であれば、最初沈殿池２の内部などいずれの位置でも良い。
【０１２１】
また、プロセスはＡ２０プロセスに限らず、Ａ０プロセス（嫌気−好気プロセス）、ステップ流入式嫌気好気プロセスなど、嫌気槽、好気槽を有するプロセスであれば、どのようなプロセスを用いてもよい。
【０１２２】
炭素源の流量のコントロール方法はポンプ１９の回転数制御によるものでなく、配管５７上に調整弁を設置し、弁の開度調整により流量制御を行う方法を用いてもよい。
【０１２３】
第６の実施の形態
次に図６により本発明の第６の実施の形態について説明する。
【０１２４】
図６において、図１に示す第１の実施の形態と同一部分には同一符号を付して詳細な説明は省略する。
【０１２５】
図６に示す下水処理場リン除去装置は、嫌気槽１０と、無酸素槽１１と、好気槽１２とからなるＡ２０プロセスを含む。
【０１２６】
最初沈殿池２に流入する前の配管５０に有機物濃度計として、ＵＶ計２６が設置され、最初沈殿池２の後段の配管５１上に有機物濃度計としてＵＶ計２５が設置されている。
【０１２７】
最初沈殿池５９をバイパスするバイパス配管５９にバイパス弁（電動弁）２３が設置されている。
【０１２８】
図６において、ＵＶ計２１の計測値と有機物濃度の代表指標であるＣＯＤ（化学的酸素要求量）は一般に相関があることが知られており、その関係は前記の（１）式のように示される。
【０１２９】
コントローラ１０４により、ＵＶ計２５，２６の測定値から（１）式により導出された有機物濃度（最初沈殿池２の前後）と設定された有機物濃度基準値１００と流量計２５ａの計測値より、設定された有機物濃度を保つのに必要なバイパス流量が（３）式により求められる。
Ｑｂｙｐ（ｔ）＝（Ｃｓｖ−Ｃｉｎ１（ｔ））／（Ｃｉｎ２（ｔ）−Ｃin１(t)）＊Ｑｉｎ（ｔ）          （３）式
ただし、Ｑbyp（ｔ）＜＝０のときはＱbyp（ｔ）＝０
Ｑｂｙｐ（ｔ）：バイパス流量演算値（ｍ３／ｈ）、Ｃｓｖ：有機物濃度基準値（ｍｇ／Ｌ）、Ｃｉｎ１（ｔ）：嫌気槽流入有機物濃度（ＵＶ計２５の計測値から換算）（ｍｇ／Ｌ）、Ｃｉｎ２（ｔ）：初沈前の流入有機物濃度（ＵＶ計２６の計測値から換算）（ｍｇ／Ｌ）、Ｑｉｎ（ｔ）：流入流量
【０１３０】
コントローラ１０４は（３）式にて求められる流量となるようバイパス弁２３の弁開度を制御する。
【０１３１】
本実施の形態によれば、ＢＯＤ計、ＣＯＤ計、有機酸計に比べてオンライン性の高いＵＶ計２５，２６を使用することにより、時間遅れがなく制御が可能である。
【０１３２】
また、有機物濃度基準値となるために必要となるバイパス流量を演算し、バイパス流量を最適化することから、流入有機物濃度の安定化が可能となり、より安定的にリン除去を行うことが可能となる。
【０１３３】
なお、ＵＶ計２５，２６の設置位置は嫌気槽１０に流入する前であれば、いずれでもよい。
【０１３４】
また、プロセスはＡ２０プロセスに限らず、Ａ０プロセス（嫌気−好気プロセス）、ステップ流入式嫌気好気プロセスなど、嫌気槽、好気槽を有するプロセスであれば、どのようなプロセスを用いてもよい。
【０１３５】
第７の実施の形態
次に図７により本発明の第７の実施の形態について説明する。
【０１３６】
図７において、図１に示す第１の実施の形態と同一部分には同一符号を付して詳細な説明は省略する。
【０１３７】
図７に示す下水処理場リン除去装置は、嫌気槽１０と、無酸素槽１１と、好気槽１２とからなるＡ２０プロセスを含む。
【０１３８】
最初沈殿池２の後段の配管５１に有機物濃度計としてＵＶ計２５が設置されている。
【０１３９】
最初沈殿池２をバイパスするバイパス配管５９は、その配管の下流側の接続先がＵＶ計２５より前段部の配管５１となっている。
【０１４０】
バイパス配管５９には、バイパス弁（電動弁）２３が設置されている。
【０１４１】
図７において、ＵＶ計２５の計測値と有機物濃度の代表指標であるＣＯＤ（化学的酸素要求量）は一般に相関があることが知られており、その関係は前記の（１）式のように示される。
【０１４２】
コントローラ１０４は、（１）式により導出された有機物濃度と設定された有機物濃度基準値１００の偏差により例えば（４）式に示すような汎用コントローラの一つであるＰＩコントローラにより、流入する有機物濃度を一定に保つようバイパス流量を演算する。
【数１】
2007000859.tif 000003
ただし、Ｑｂｉｐ（ｔ）＜＝０の時はＱｂｉｐ（ｔ）＝０
Ｑｂｉｐ（ｔ）：時刻ｔにおけるバイパス流量演算値（ｍ３／ｈ）  、Ｑａｉｒ０：バイパス流量初期値（ｍ３／ｈ）  、Ｋｐ：比例ゲイン（ｍ３／ｇ・ｈ）、Ｔｉ：積分定数（ｈ）  、ｅ（ｔ）：偏差（ｍｇ／Ｌ）
Ｃｉｎ（ｔ）：嫌気槽流入有機物濃度（ＵＶ値より換算）（ｍｇ／Ｌ）、有機物濃度基準値（ｍｇ／Ｌ）
【０１４３】
コントローラ１０４は（４）式にて求められる流量となるようバイパス弁２３の弁開度を制御する。
【０１４４】
本実施の形態によれば、ＢＯＤ計、ＣＯＤ計、有機酸計に比べてオンライン性の高いＵＶ計２５を使用することにより、時間遅れなく制御が可能である。
【０１４５】
またバイパス配管５９の下流側の接続位置がＵＶ計２５の前段の配管５１となったことにより、ＰＩコントローラによるフィードバック制御が可能となり、ＵＶ計２５が１台ですむ。
【０１４６】
なお、ＵＶ計２５の設置位置は、最初沈殿池２と嫌気槽１０の間に混合層５１Ａを設け、その混合層５１Ａ内に設置してもよい。
【０１４７】
また、プロセスはＡ２０プロセスに限らず、Ａ０プロセス（嫌気−好気プロセス）、ステップ流入式嫌気好気プロセスなど、嫌気槽、好気槽を有するプロセスであれば、どのようなプロセスを用いてもよい。
【０１４８】
第８の実施の形態
次に図８により本発明の第８の実施の形態について説明する。
【０１４９】
図８において、図１に示す第１の実施の形態と同一部分には同一符号を付して詳細な説明は省略する。
【０１５０】
図８に示す下水処理場リン除去装置は、嫌気槽１０と、無酸素槽１１と、好気槽１２とからなるＡ２０プロセスを含む。
【０１５１】
最初沈殿池２の後段の配管５１に有機物濃度計としてＵＶ計２５及び流量計２５ａが設置されている。このうちＵＶ計２５及び流量計２５ａによりセンサが構成されている。
【０１５２】
炭素源注入ポンプ１９はインバータの回転数を制御することにより、流量を調整できる。
【０１５３】
最初沈殿池２をバイパスするバイパス配管５９は、その配管の接続先がＵＶ計２５より前段部の配管５９となっている。バイパス配管５９には、バイパス弁（電動弁）２３が設置されている。
【０１５４】
図８において、コントローラ１０４は（４）式で演算された注入量Ｑｂｉｐ（ｔ）を嫌気槽１０内に設定されたＯＲＰ計２７の計測値と嫌気槽ＯＲＰ基準値との偏差に応じて、例えば（５）式のような演算式で補正する。
【数２】
2007000859.tif 000004
Ｑｂｉｐ（ｔ）：時刻ｔにおけるバイパス流量演算値（ｍ３／ｈ）、Ｑｂｉｐ（ｔ）’：時刻ｔにおけるバイパス流量補正値（ｍ３／ｈ）、Ｋ：定数、
ＯＲＰ（ｔ）：嫌気槽ＯＲＰ値（ｍＶ）、ＯＲＰｓｖ：嫌気槽ＯＲＰ基準値（ｍＶ）
【０１５５】
次にコントローラ１０４は、（５）式で求めたバイパス流量補正値を用いて、バイパス弁２３を制御する。
【０１５６】
本実施の形態によれば、ＢＯＤ計、ＣＯＤ計、有機酸計に比べてオンライン性の高いＵＶ計２５を使用することにより、時間遅れなく制御が可能である。
【０１５７】
また嫌気槽１０に設置されたＯＲＰ計２７を使うことにより、ＯＲＰが高い場合にバイパス量を増加するよう制御が働き、有機物濃度の高い下水を嫌気槽に投入することにより、ＯＲＰ値を下げることが可能となり、リン除去をより安定化させることが可能となる。
【０１５８】
なおＵＶ計２５の設置位置は、最初沈殿池２と嫌気槽１０との間に混合槽を設け、その混合槽内に設置してもよい。
【０１５９】
また、プロセスはＡ２０プロセスに限らず、Ａ０プロセス（嫌気−好気プロセス）、ステップ流入式嫌気好気プロセスなど、嫌気槽、好気槽を有するプロセスであれば、どのようなプロセスを用いてもよい。
【０１６０】
第９の実施の形態
次に図９により本発明の第９の実施の形態について説明する。
【０１６１】
図９において、図１に示す第１の実施の形態と同一部分には同一符号を付して詳細な説明は省略する。
【０１６２】
図９に示す下水処理場リン除去装置は、嫌気槽１０と、無酸素槽１１と、好気槽１２とからなるＡ２０プロセスを含む。
【０１６３】
最初沈殿池２の後段の配管５１に有機物濃度計としてＵＶ計２５及び流量計２５ａが設置されている。好気槽１２にリン酸計２８が設置されている。このうちＵＶ計２５及び流量計２５ａによりセンサが構成されている。
【０１６４】
炭素源注入ポンプ１９はインバータの回転数を制御することにより、流量を調整できる。
【０１６５】
図９において、コントローラ１０３は（３）式で演算された注入量Ｑｃａｒ（ｔ）をリン酸濃度基準値とリン酸計２８からのリン酸濃度の偏差に応じて例えば（６）式のような式にて補正する。
【数３】
2007000859.tif 000005
Ｑｃａｒ（ｔ）：時刻ｔにおける炭素源の流量演算値（ｍ３／ｈ）、Ｑｂｉｐ（ｔ）’：時刻ｔにおける炭素源の流量補正値（ｍ３／ｈ）、Ｋ：定数、
ＰＯ４（ｔ）：好気槽リン酸濃度（ｍｇ／Ｌ）、ＰＯ４ｓｖ：好気槽リン酸基準値（ｍＶ）
【０１６６】
次にコントローラ１０３は、（６）式で求めた炭素源の流量補正値に基づいて、ポンプ１９を制御する。
【０１６７】
第１０の実施の形態
次に図１０により本発明の第１０の実施の形態について説明する。
【０１６８】
図１０において図１に示す第１の実施の形態と同一部分には同一符号を付して詳細な説明は省略する。
【０１６９】
図１０に示す下水処理場リン酸除去装置は、嫌気槽１０と、無酸素槽１１と、好気槽１２とからなるＡ２０プロセスを含む。
【０１７０】
最初沈殿池２の後段の配管５１に有機物濃度計としてＵＶ計２５及び流量計４が設置されている。このうちＵＶ計２５および流量計４によりセンサが構成されている。
【０１７１】
最初沈殿池２の出口の配管５１に全リン計２９が設置されている。
【０１７２】
炭素源注入ポンプ１９はインバータの回転数を制御することにより、流量を調整できる。
【０１７３】
図１０においてコントローラ１０３は不足有機物量演算部１０５を含み、この不足有機物量演算部１０５において、不足有機物量が例えば、（７）式のような演算式により演算される。
【数４】
2007000859.tif 000006
ＣＡ：不足有機物量（ｇ／ｈ）、Ｐｉｎ（ｔ）：全リン計２９による時刻ｔにおける流入リン濃度（ｍｇ／Ｌ）、Ｐｓｖ：処理水リン濃度目標値、Ｃｉｎ（ｔ）：ＵＶ計２５からの時刻ｔにおける流入有機物濃度（ｍｇ／Ｌ）、Ｑｉｎ（ｔ）：流量計４からの時刻ｔにおける流入流量（ｍ３／ｈ）、ａ：定数
【０１７４】
時刻ｔにおける炭素源流量Ｑｃａｒ（ｔ）は、
Ｑｃａｒ（ｔ）＝ＣＡ／Ｑｉｎ（ｔ）にて求まる。
【０１７５】
コントローラ１０３は不足有機物量演算部１０５で求めた炭素源流量に基づいてポンプ１９を制御する。
【０１７６】
本実施の形態によれば、ＢＯＤ計、ＣＯＤ計、有機酸計に比べてオンライン性の高いＵＶ計２５を使用することにより、時間遅れなく制御が可能である。
【０１７７】
また、流入リン濃度と、流入有機物濃度とから不足有機物量を演算するため、流入負荷の変動に応じた注入量制御が可能となり、リン除去をより安定化させることが可能となる。
【０１７８】
なお、不足有機物量演算部１０５における演算方法では、データベースにデータを蓄積し、蓄積されたデータから上記（７）式のａを求めてもよい。
【０１７９】
また、不足有機物量演算部１０５における演算方法は（７）式に限らず、例えば活性汚泥モデルのような生物反応モデルを参照し、演算してもよい。
【０１８０】
さらに、不足有機物量演算部１０５における演算にあたっては、降雨情報・気象情報１１０をもとに流入流量、流入水質を予測し、その予測結果をもとに不足有機物量を演算してもよい（図１２参照）。
【０１８１】
プロセスはＡ２０プロセスに限らず、Ａ０プロセス（嫌気−好気プロセス）、ステップ流入式嫌気好気プロセスなど、嫌気槽、好気槽を有するプロセスであれば、どのようなプロセスを用いてもよい。
【０１８２】
第１１の実施の形態
次に図１２により本発明の第１１の実施の形態について説明する。
【０１８３】
図１２において、図１に示す第１の実施の形態と同一部分には同一符号を付して詳細な説明は省略する。
【０１８４】
図１２に示す下水処理場リン除去装置は、嫌気槽１０と、無酸素槽１１と、好気槽１２とからなるＡ２０プロセスを含む。
【０１８５】
最初沈殿池２の後段の配管５１上に有機物濃度計としてＵＶ計２５及び流量計２５ａが設置されている。このうちＵＶ計２５及び流量計２５ａによりセンサが構成されている。
【０１８６】
炭素源注入ポンプ１９はインバータの回転数を制御することにより、流量を調整できる。
【０１８７】
好気槽１２にリン酸濃度計２８が設置され、凝集剤貯留槽２２が凝集剤注入ポンプ１６を介して好気槽１２に接続され、ポンプ１６は凝集剤コントローラ１６ａによりインバータ回転数により、流量を制御される。
【０１８８】
炭素源注入ポンプ１９はコントローラ１０３により（２）式にて求められる流量となるよう炭素源注入ポンプの回転数を制御する。
【０１８９】
一方で凝集剤注入ポンプ１６は、例えば（８）式のような演算式により、凝集剤コントローラ１６ａにより流量が制御される。
【数５】
2007000859.tif 000007
Ｑｐａｃ（ｔ）：時刻ｔにおける凝集剤の流量演算値（ｍ３／ｈ）、Ｋ：定数、ＰＯ４（ｔ）：好気槽リン酸濃度（ｍｇ／Ｌ）、ＰＯ４ｓｖ：好気槽リン酸基準値（ｍＶ）
【０１９０】
本実施の形態によれば、毒物の流入などにより生物活性が落ちている場合などにおいては、いくら有機物を投入してもリン除去ができない場合があるが、このように凝集剤を補助的に利用することにより、常に安定的にリン除去を行うことが可能となる。
【０１９１】
なお、プロセスはＡ２０プロセスに限らず、Ａ０プロセス（嫌気−好気プロセス）、ステップ流入式嫌気好気プロセスなど、嫌気槽、好気槽を有するプロセスであれば、どのようなプロセスを用いてもよい。
【０１９２】
凝集剤コントローラ１６ａによる凝集剤注入量の演算方法は（８）式に限らず、リン酸濃度基準値とリン酸計２８からの計測値の偏差を用いるものであればどのようなものでもよい。
【０１９３】
第１２の実施の形態
次に図１３により本発明の第１２の実施の形態について説明する。
【０１９４】
図１３に示すように、下水処理場リン除去装置は、最初沈殿池２と、最初沈殿池２の下流側に接続された嫌気槽１０と、嫌気槽１０の下流側に接続された無酸素槽１１と、無酸素槽１１の下流側に接続された好気槽１２と、好気槽１２の下流側に接続された最終沈殿池１３とを備えている。
【０１９５】
また嫌気槽１０には、ポンプ１９を介して炭素源貯留槽（有機物供給層）２１が接続され、さらに好気槽１２と無酸素槽１１との間には循環ポンプ１４が設けられた循環配管５３が接続されている。さらに最終沈殿池１３と嫌気槽１０との間には、最終沈殿池１３内の固形物（汚泥）を嫌気槽１０へ戻す返送ポンプ１５が取付けられた返送配管５４が接続されている。
【０１９６】
また好気槽１２には、曝気装置９から酸素が送られるようになっている。
【０１９７】
また、返送配管５４には流量計５４ａが設置されている。さらに、嫌気槽１０にはリン酸計１０ａが設置され、好気槽１２にはリン酸計１２ａが設置されている。さらに配管５１には全リン計２９が設置されている。
【０１９８】
次にこのような構成からなる実施の形態の作用について説明する。
【０１９９】
まず下水は最初沈殿池２に流入した後、嫌気槽１０に入る。
【０２００】
嫌気槽１０に流入する下水は、流量計４により流入流量（Ｑ０とする）が測定され、全リン計２９により流入リン濃度（Ｃ０とする）が測定される。流量計４および全リン計２９はセンサを構成し、これら流量計４および全リン計２９からの信号はコントローラ１０１に入力される。
【０２０１】
コントローラ１０１ではこれら値の積により、嫌気槽１０に流入するリン量が計算される。
【０２０２】
またコントローラ１０１では嫌気槽１０のリン酸計（流出リン酸計）１０ａにて測定されるリン酸濃度（Ｃ１とする）と、流量計４で測定される流量と、流量計５４ａにて測定される流量（Ｑ２とする）の和との積により、嫌気槽１０から流出するリン酸量が計算される。
【０２０３】
この嫌気槽１０から流出するリン酸量と、嫌気槽１０に流入するリン酸量の差がリン蓄積菌から吐き出されるリン酸量となる。
【０２０４】
計算式としては下記のように示される。
リン吐き出し量＝Ｃ１×（Ｑ０＋Ｑ２）−Ｃ０×Ｑ０
【０２０５】
雨天時等の流入有機物濃度の減少により、嫌気槽１０におけるリン除去細菌のリン吐出し量が低下した場合、吐き出されるリン酸量が制御目標値設定部１２０で設定した閾値以下となるため、有機物の不足状況を把握することが可能となる。有機物が不足した際、コントローラ１０１はポンプ１９を作動させて有機物供給槽２１から有機物を嫌気槽１０へ供給する。このように嫌気槽１０へ有機物を供給することにより、嫌気槽１０におけるリン蓄積菌のリン吐き出し阻害を防止できる。
【０２０６】
本実施の形態によれば、雨天時等の流入有機物濃度の減少により、嫌気槽１０におけるリン除去細菌のリン吐出し量の低下を防止することが可能となり、放流水質の悪化を防止することが可能となる。
【０２０７】
第１３の実施の形態
次に図１４により本発明の第１４の実施の形態について説明する。
【０２０８】
図１４において、図１３に示す第１２の実施の形態と同一部分には同一符号を付して詳細な説明は省略する。
【０２０９】
図１４において、嫌気槽１０に流入する下水は、流量計４により流入流量（Ｑ０とする）が測定され、全リン計２９により流入リン濃度（Ｃ０とする）が測定される。流量計４および全リン計２９からの信号はコントローラ１０１に入力される。コントローラ１０１ではこれら値の積により、嫌気槽１０に流入するリン量が計算される。またコントローラ１０１では嫌気槽１０のリン酸計（流出リン酸計）１０ａにて測定されるリン酸濃度（Ｃ１とする）と、流量計４で測定される流量と、流量計５４ａにて測定される流量（Ｑ２とする）の和との積により、嫌気槽１０から流出するリン酸量が計算される。
【０２１０】
この嫌気槽１０から流出するリン酸量と、嫌気槽１０に流入するリン酸量の差がリン蓄積菌から吐き出されるリン酸量となる。
【０２１１】
またコントローラ１０１は、嫌気槽１０のリン酸計１０ａの測定値と好気槽１２のリン酸計（追加流出リン酸計）１２ａの測定値（Ｃ３とする）の差を好気槽１２に設置された汚泥濃度計１２ｂの測定値（Ｍ１とする）で割ることにより固形物中に含まれるリン酸濃度を計算する。この値は、リン蓄積菌が蓄積したリン量を示している。
【０２１２】
コントローラ１０１は次に、返送配管５４に設置された返送汚泥濃度計５４ｂで測定された返送汚泥濃度（Ｍ２とする）と、前記固形物中に含まれるリン酸濃度と、流量計５４ａにて測定される流量の積により、返送される固形物中のリン酸量を計算する。
【０２１３】
次にコントローラ１０１は、リン蓄積菌から吐き出されるリン酸量を返送される固形物中のリン酸量で割ることにより、リン蓄積菌が蓄積したリン量に対する吐出し量を計算し、リン蓄積菌の活性を推定する。
【０２１４】
リン蓄積菌が蓄積したリン量に対する吐出し量は以下の式で表される。
リン蓄積菌が蓄積したリン量に対する吐出し量
＝（Ｃ１×（Ｑ０＋Ｑ２）−Ｃ０×Ｑ０）÷（（Ｃ１−Ｃ３）÷Ｍ１×Ｍ２×Ｑ２）
【０２１５】
雨天時等の流入有機物濃度の減少により、嫌気槽１０におけるリン除去細菌のリン吐出し量が低下した場合、吐き出されるリン酸量が制御目標値設定部１２０で設定した閾値以下となる。しかしながら流入するリン負荷の長期的な低下により、リン蓄積菌内に蓄積されたリン量が減少した際にもリン吐出し量が低下し、吐き出されるリン酸量が閾値以下となる場合がある。本発明はこのような状態を防止するためのものであり、リン蓄積菌からのリン吐き出しの割合を計算することにより、リン蓄積菌の活性を把握し、有機物の不足状況を把握することが可能となる。有機物が不足した際、コントローラ１０１はリン吐出し量と、その目標値との差をとり、この差分に比例させて有機物の添加量を決定する。次に、ポンプ１９を作動させて有機物供給槽２１から有機物を嫌気槽１０へ供給する。このように有機物を添加することにより、嫌気槽１０におけるリン蓄積菌のリン吐き出し阻害を防止できる。
【０２１６】
本実施の形態によれば、雨天時等の流入有機物濃度の減少により、嫌気槽１０におけるリン除去細菌のリン吐出し量の低下を防止することが可能となり、放流水質の悪化を防止することが可能となる。
【０２１７】
第１４の実施の形態
次に図１５により本発明の第１４の実施の形態について説明する。
【０２１８】
図１５において、図１３に示す第１２の実施の形態と同一部分には同一符号を付して詳細な説明は省略する。
【０２１９】
図１５において、計測値記憶部１２４により第１２の実施の形態で説明したリン吐出し量、あるいは第１３の実施の形態で説明したリン蓄積菌が蓄積したリン量に対する吐出し量が、その複数日分だけ計測値記憶部１２４に記憶され、その平均値が閾値として制御目標設定部１２０に伝送される。
【０２２０】
図１５において水質成分の季節変動による影響を防止することが可能となり、放流水質の悪化を防止することが可能となる。
【０２２１】
第１５の実施の形態
次に図１６により本発明の第１５の実施の形態について説明する。図１６に示す第１５の実施の形態は炭素源貯留槽２１の代わりに、オゾン注入部３１ａが取付けられた可溶化槽３１を設置したものであり、他の構成は図７に示す第７の実施の形態と略同一である。
【０２２２】
図１６において、図７に示す第７の実施の形態と同一部分には同一符号を符して詳細な説明は省略する。
【０２２３】
図１６に示すように、最初沈殿池２に引抜ポンプ１８を介して汚泥を引き抜く汚泥配管５８が接続されている。また最終沈殿池１３に余剰ポンプ１７を介して余剰汚泥を引き抜く余剰汚泥配管５５が接続されている。
【０２２４】
これら汚泥配管５８および余剰汚泥配管５５は、いずれも汚泥貯留槽２０および連結管２０ａを介して可溶化槽３１に連結されている。
【０２２５】
可溶化槽３１はオゾン注入部３１ａを有し、内部に貯留された汚泥をオゾン注入部３１ａから供給されたオゾンによって可溶化して供給用の有機物を生成する。このため可溶化槽３１は、汚泥から有機物を生成し嫌気槽１０へ有機物を供給する有機物供給槽として機能する。
【０２２６】
なお、可溶化槽３１にオゾン注入部３１ａを設けることなく、可溶化槽３１内の汚泥を発酵させて供給用の有機物を生成してもよい。
【０２２７】
さらに可溶化槽３１には、最初沈殿池２からの汚泥または最終沈殿池１３からの余剰汚泥のうち、いずれか一方のみを供給してもよい。
【０２２８】
本実施の形態によれば、最初沈殿池２からの汚泥または最終沈殿池１３からの余剰汚泥を用いて可溶化槽３１内で可溶化して供給用の有機物を生成するので、供給用有機物を別個に外部から購入する必要はなく、コスト低減を図ることができる。
【図面の簡単な説明】
【０２２９】
【図１】本発明による下水処理場リン除去装置の第１の実施の形態を示す構成図。
【図２】本発明による下水処理場リン除去装置の第２の実施の形態を示す構成図。
【図３】本発明による下水処理場リン除去装置の第３の実施の形態を示す構成図。
【図４】本発明による下水処理場リン除去装置の第４の実施の形態を示す構成図。
【図５】本発明による下水処理場リン除去装置の第５の実施の形態を示す構成図。
【図６】本発明による下水処理場リン除去装置の第６の実施の形態を示す構成図。
【図７】本発明による下水処理場リン除去装置の第７の実施の形態を示す構成図。
【図８】本発明による下水処理場リン除去装置の第８の実施の形態を示す構成図。
【図９】本発明による下水処理場リン除去装置の第９の実施の形態を示す構成図。
【図１０】本発明による下水処理場リン除去装置の第１０の実施の形態を示す構成図。
【図１１】本発明による下水処理場リン除去装置の第１１の実施の形態を示す構成図。
【図１２】本発明による下水処理場リン除去装置の第１１の実施の形態を示す変形図。
【図１３】本発明による下水処理場リン除去装置の第１２の実施の形態を示す構成図。
【図１４】本発明による下水処理場リン除去装置の第１３の実施の形態を示す構成図。
【図１５】本発明による下水処理場リン除去装置の第１４の実施の形態を示す構成図。
【図１６】本発明による下水処理場リン除去装置の第１５の実施の形態を示す構成図。
【符号の説明】
【０２３０】
１  下水
２  最初沈殿池
３  処理水
９  曝気装置
１０  嫌気槽
１１  無酸素槽
１２  好気槽
１３  最終沈殿池
１４  循環ポンプ
１５  返送ポンプ
１６  凝集剤注入ポンプ
１７  余剰ポンプ
１９  炭素源供給ポンプ
２１  炭素源貯留槽
２２  凝集剤貯留槽
２３  バイパス弁
２５  ＵＶ計
５９  バイパス配管
１０１  コントローラ
１０１ａ  コントローラ
１０２  コントローラ
１０３  コントローラ
１０４  コントローラ
【図１】
2007000859.tif 000008
【図２】
2007000859.tif 000009
【図３】
2007000859.tif 000010
【図４】
2007000859.tif 000011
【図５】
2007000859.tif 000012
【図６】
2007000859.tif 000013
【図７】
2007000859.tif 000014
【図８】
2007000859.tif 000015
【図９】
2007000859.tif 000016
【図１０】
2007000859.tif 000017
【図１１】
2007000859.tif 000018
【図１２】
2007000859.tif 000019
【図１３】
2007000859.tif 000020
【図１４】
2007000859.tif 000021
【図１５】
2007000859.tif 000022
【図１６】
2007000859.tif 000023